(57)【要約】【課題】録画装置において、電子番組表で予約録画を行うＴＶ番組、及び予約録画の種類を容易に確認できるようにする。【解決手段】ＥＰＧの表示が指示されると、ＨＤＲは、ＴＶ番組の情報を格納した番組情報を読み込むと共に、メモリの予約録画番組情報を読み込み（Ｓ１１）、予約録画を行うＴＶ番組、及び予約録画を行うＴＶ番組の予約録画の種類に基づいて、ＥＰＧ内のＴＶ番組の表示形式を変更する（Ｓ１２）。具体的には例えば、予約録画を行うＴＶ番組の予約録画の種類が「毎日予約録画」である場合、このＴＶ番組のタイトル名を赤色で表示するよう表示形式を変更する。また、予約録画を行うＴＶ番組の予約録画の種類が「毎週予約録画」である場合、このＴＶ番組のタイトル名を青色で表示するよう表示形式を変更する。そして、変更されたＴＶ番組の表示形式に基づくＥＰＧを表示する。【選択図】図５
2012151799.tif 000002
【特許請求の範囲】
【請求項１】
放送局から配信されるテレビジョン番組の情報を含む電子番組表を取得する電子番組表取得手段と、
前記電子番組表取得手段によって取得された電子番組表を表示する表示手段と、
予約録画を行うテレビジョン番組を記憶する予約録画番組記憶手段と、
前記予約録画番組記憶手段に記憶されたテレビジョン番組の予約録画の種類を記憶する予約録画種類記憶手段と、
ユーザによって操作され、前記表示手段に表示される電子番組表の中からテレビジョン番組を選択するための番組選択手段と、
装置各部を制御する制御手段とを備える録画装置において、
前記予約録画番組記憶手段に記憶された予約録画を行うテレビジョン番組、及び前記予約録画種類記憶手段に記憶された、予約録画を行うテレビジョン番組の予約録画の種類に基づいて、電子番組表内のテレビジョン番組の表示形式を変更する表示形式変更手段と、
テレビジョン番組の予約録画の種類を示すアイコンを記憶するためのアイコン記憶手段と、
前記アイコン記憶手段から、予約録画の種類を示すアイコンを取得するためのアイコン取得手段とをさらに備え、
前記制御手段は、
前記表示手段に電子番組表を表示する際に、前記表示形式変更手段によって変更された表示形式に基づき、電子番組表内のテレビジョン番組を表示し、
前記表示手段に電子番組表を表示しているときに、ユーザが前記番組選択手段を用いて、該表示手段に表示している電子番組表の中からテレビジョン番組を選択すると、前記アイコン取得手段を用いて、該ユーザによって選択されたテレビジョン番組の予約録画の種類を示すアイコンを取得した後、取得したアイコンを前記表示手段に表示することを特徴とする録画装置。
【請求項２】
前記表示形式変更手段は、電子番組表に表示されるテレビジョン番組のうち、前記予約録画番組記憶手段に記憶された予約録画を行うテレビジョン番組の表示色を変更することを特徴とする請求項１に記載の録画装置。
【請求項３】
前記表示形式変更手段は、電子番組表に表示されるテレビジョン番組のうち、前記予約録画種類記憶手段に記憶された予約録画の種類に応じて、前記予約録画番組記憶手段に記憶された予約録画を行うテレビジョン番組の表示色を変更することを特徴とする請求項２に記載の録画装置。
【請求項４】
前記予約録画の種類には、所定のテレビジョン番組の予約録画を毎週行う毎週予約録画と、所定のテレビジョン番組の予約録画を毎日行う毎日予約録画と、所定のシリーズに含まれる全てのテレビジョン番組を予約録画するシリーズ予約録画と、分割して配信される一組のテレビジョン番組の全てを予約録画するスプリット予約録画とを含むことを特徴とする請求項１乃至３のいずれか一項に記載の録画装置。
【発明の詳細な説明】
【技術分野】
【０００１】
本発明は、電子番組表を表示可能な録画装置に関する。
【背景技術】
【０００２】
近年、放送局から配信されるテレビジョン（以下、ＴＶという）番組についての番組情報を取得し、取得した番組情報に基づく電子番組表（ＥＰＧ：Ｅｌｅｃｔｒｏｎｉｃ  Ｐｒｏｇｒａｍ  Ｇｕｉｄｅ）を表示可能なハードディスクレコーダ（以下、ＨＤＲという）が普及している。この種のＨＤＲでは、ユーザが予約録画したいＴＶ番組を登録する際に、電子番組表の中から予約録画したいＴＶ番組を選択することにより登録できるものが多い。
【０００３】
図１１は、電子番組表の一例を示す。図１１に示す電子番組表の中のサッカー中継Ｂ１０１を予約録画登録した場合、サッカー中継Ｂ１０１の表示欄には、予約録画を行うＴＶ番組である旨を示す記号（ここでは時計マークＭ１０１）が表示される。これにより、ユーザは電子番組表を見るだけで予約録画を行うＴＶ番組であるか否かを確認することができる。
【０００４】
ところで、電子番組表の各ＴＶ番組の表示欄の大きさは、ＴＶ番組の放送時間の長さに応じて決まる。上記図１１に示すスポーツニュースＢ１０２は放送時間が短いため、このスポーツニュースＢ１０２を予約録画登録した場合、スポーツニュースＢ１０２の表示欄に時計マークＭ１０１を表示できない。従って、ユーザは、スポーツニュースＢ１０２が予約録画を行うＴＶ番組であるか否かを、電子番組表を見るだけでは判断できないため、スポーツニュースＢ１０２の表示欄を選択して、図１２に示すようにスポーツニュースＢ１０２の情報画面を表示させることにより、予約録画を行うＴＶ番組であるか否かを確認しなければならず、操作が煩雑であるという問題がある。
【０００５】
これに対して、特許文献１には、予約番組の録画状況に応じて、色等により表示属性を変更させて電子番組表に対応付けることにより、指定番組の情報を予約状況毎に互いに異なる表示形態で表示させることができる文字放送受信装置が開示されている。この文字放送受信装置では、電子番組表の文字色等を見るだけで、予約録画登録されているＴＶ番組を確認することができる。
【０００６】
ところで、近年、所定のＴＶ番組の予約録画を毎日行う毎日予約録画や、所定のＴＶ番組の予約録画を毎週行う毎週予約録画等の複数の予約録画の種類を有するＨＤＲがある。この種のＨＤＲのユーザから、電子番組表を見るだけでＴＶ番組の予約録画の種類を知りたいという要望がある。
【０００７】
しかしながら、上記特許文献１の文字放送受信装置では、電子番組表に予約録画の種類を表示しないため、ユーザは、ＴＶ番組の予約録画の種類を表示させるための操作を行う必要があり、操作が非常に煩雑であるという問題がある。
【０００８】
これに対して、特許文献２には、視聴者によって電子番組表からＴＶ番組の視聴予約が実行されると、ＣＰＵが、電子番組表の予約登録されたＴＶ番組（予約番組）に対し予約登録された事を示す記号を付与し、予約番組の時間帯を全てのチャンネルに渡って着色して電子番組表を表示する放送受信装置が開示されている。しかしながら、この放送受信装置であっても、上記問題を解決できない。
【０００９】
また、特許文献３には、マニュアル予約によるチャンネルと日と開始時刻と終了時刻とに基づいて、これらに符合するＴＶ番組及びその前後のＴＶ番組についての情報を取得し、これらの情報に基づいて、時間軸に沿って番組の配列を示すと共に、予約時間帯については他とは区別される色等を付加した画像を生成して表示する放送受信装置が開示されている。しかしながら、この放送受信装置であっても、上記問題を解決できない。
【００１０】
また、特許文献４には、パターン予約についての画像のタイムテーブルのうち、パターン予約の予約内容を示す領域を青塗りの四角で表示させ、個別予約の予約内容を示す領域を赤色の枠で、おまかせ予約の予約内容を示す領域を緑色の枠で、現在録画中の番組を示す領域をオレンジ色の枠でそれぞれ表示させる情報処理装置が開示されている。しかしながら、この情報処理装置では予約録画の種類によって表示枠の色が異なるだけであるため、ユーザが予約録画を行うＴＶ番組であるか否かということや、予約録画の種類を、容易に確認できないという問題がある。
【先行技術文献】
【特許文献】
【００１１】
【特許文献１】特開２０００−６９３８０号公報
【特許文献２】特開２００５−１１７１８０号公報
【特許文献３】特開２００７−６０３２１号公報
【特許文献４】特開２００７−１０４６１４号公報
【発明の概要】
【発明が解決しようとする課題】
【００１２】
本発明は、上述した問題点を解決するためになされたものであり、電子番組表の表示において、予約録画を行うテレビジョン番組、及び予約録画の種類を容易に確認することができるようにして、ユーザによる視認性を良くする録画装置を提供することを目的とする。
【課題を解決するための手段】
【００１３】
上記目的を達成するために請求項１の発明は、放送局から配信されるテレビジョン番組の情報を含む電子番組表を取得する電子番組表取得手段と、前記電子番組表取得手段によって取得された電子番組表を表示する表示手段と、予約録画を行うテレビジョン番組を記憶する予約録画番組記憶手段と、前記予約録画番組記憶手段に記憶されたテレビジョン番組の予約録画の種類を記憶する予約録画種類記憶手段と、ユーザによって操作され、前記表示手段に表示される電子番組表の中からテレビジョン番組を選択するための番組選択手段と、装置各部を制御する制御手段とを備える録画装置において、前記予約録画番組記憶手段に記憶された予約録画を行うテレビジョン番組、及び前記予約録画種類記憶手段に記憶された、予約録画を行うテレビジョン番組の予約録画の種類に基づいて、電子番組表内のテレビジョン番組の表示形式を変更する表示形式変更手段と、テレビジョン番組の予約録画の種類を示すアイコンを記憶するためのアイコン記憶手段と、前記アイコン記憶手段から、予約録画の種類を示すアイコンを取得するためのアイコン取得手段とをさらに備え、前記制御手段は、前記表示手段に電子番組表を表示する際に、前記表示形式変更手段によって変更された表示形式に基づき、電子番組表内のテレビジョン番組を表示し、前記表示手段に電子番組表を表示しているときに、ユーザが前記番組選択手段を用いて、該表示手段に表示している電子番組表の中からテレビジョン番組を選択すると、前記アイコン取得手段を用いて、該ユーザによって選択されたテレビジョン番組の予約録画の種類を示すアイコンを取得した後、取得したアイコンを前記表示手段に表示するものである。
【００１４】
また、請求項２の発明は、請求項１に記載の録画装置において、前記表示形式変更手段は、電子番組表に表示されるテレビジョン番組のうち、前記予約録画番組記憶手段に記憶された予約録画を行うテレビジョン番組の表示色を変更するものである。
【００１５】
また、請求項３の発明は、請求項２に記載の録画装置において、前記表示形式変更手段は、電子番組表に表示されるテレビジョン番組のうち、前記予約録画種類記憶手段に記憶された予約録画の種類に応じて、前記予約録画番組記憶手段に記憶された予約録画を行うテレビジョン番組の表示色を変更するものである。
【００１６】
また、請求項４の発明は、請求項１乃至３のいずれか一項に記載の録画装置において、前記予約録画の種類には、所定のテレビジョン番組の予約録画を毎週行う毎週予約録画と、所定のテレビジョン番組の予約録画を毎日行う毎日予約録画と、所定のシリーズに含まれる全てのテレビジョン番組を予約録画するシリーズ予約録画と、分割して配信される一組のテレビジョン番組の全てを予約録画するスプリット予約録画とを含むものである。
【発明の効果】
【００１７】
本発明によれば、電子番組表を表示する際に、予約録画の種類に応じた表示形式に基づき、電子番組表内の予約録画を行うテレビジョン番組を表示する。そのため、ユーザは電子番組表を見るだけで予約録画を行うテレビジョン番組、及びそのテレビジョン番組の予約録画の種類を容易に確認することができるので、視認性が良くなる。
【００１８】
また、電子番組表を表示しているときに、ユーザによって電子番組表の中からテレビジョン番組が選択されると、選択されたテレビジョン番組の予約録画の種類を示すアイコンを表示する。そのため、ユーザは、アイコンを見るだけで予約録画の種類を容易に確認することができるので、視認性がさらに良くなる。
【図面の簡単な説明】
【００１９】
【図１】本発明の一実施形態に係るＨＤＲと、このＨＤＲに接続されたＴＶ受像機とを含む録画システムを示す斜視図。
【図２】上記ＨＤＲの内部構成を示すブロック図。
【図３】上記ＴＶ受像機の内部構成を示すブロック図。
【図４】上記ＨＤＲにおけるＥＰＧ表示処理の手順を示すフローチャート。
【図５】上記ＥＰＧ表示処理における表示形式変更処理の手順を示すフローチャート。
【図６】上記ＨＤＲにおけるＴＶ番組の情報画面表示処理の手順を示すフローチャート。
【図７】上記ＨＤＲにおけるＥＰＧの表示の一例を示す説明図。
【図８】上記ＨＤＲにおけるＴＶ番組の情報画面の一例を示す説明図。
【図９】上記ＨＤＲにおけるＴＶ番組の情報画面の別の一例を示す説明図。
【図１０】上記ＨＤＲにおけるＴＶ番組の情報画面の別の一例を示す説明図。
【図１１】従来のＥＰＧの表示の一例を示す説明図。
【図１２】従来のＴＶ番組の情報画面の一例を示す説明図。
【発明を実施するための形態】
【００２０】
以下、本発明の一実施形態に係るハードディスクレコーダ（請求項における録画装置）について、図１乃至図３を参照して説明する。図１は、ハードディスクレコーダ（以下、ＨＤＲという）１と、このＨＤＲ１にＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）ケーブル４を介して接続されたテレビジョン（以下、ＴＶという）受像機（表示手段）２とを含む録画システム１００の概略構成を示す。図２は、ＨＤＲ１の内部構成を示し、図３は、ＴＶ受像機２の内部構成を示す。
【００２１】
ＨＤＲ１、及びＴＶ受像機２は、いずれもＨＤＭＩに対応した機器であり、ＨＤＭＩ−ＣＥＣ（Ｃｏｎｓｕｍｅｒ  Ｅｌｅｃｔｒｏｎｉｃｓ  Ｃｏｎｔｒｏｌ）に基づくＣＥＣコマンドと、ＣＥＣコマンドに対するレスポンスデータとを送受信可能である。
【００２２】
ＨＤＭＩケーブル４は、映像信号及び音声信号等の伝送ラインであるＴＭＤＳ（Ｔｒａｎｓｉｔｉｏｎ  Ｍｉｎｉｍｉｚｅｄ  Ｄｉｆｆｅｒｅｎｔｉａｌ  Ｓｉｎｇｎａｌｉｎｇ）ラインと、ＣＥＣコマンドを双方向に伝送するための伝送ラインであるＣＥＣラインとを含むものである。ＨＤＭＩ−ＣＥＣでは、ＨＤＭＩケーブル４で接続された相手先（ＣＥＣ対応機器）を指定して送信するコマンドと、ＨＤＭＩケーブル４で接続されたすべてのＣＥＣ対応機器にコマンドを通知するブロードキャストタイプのコマンドとが定義されており、これらを組み合わせて通信を行う。
【００２３】
ＨＤＲ１は、放送局から放送されるＴＶ番組の予約録画や、録画したＴＶ番組の再生等を行うことができる。また、ＨＤＲ１は、放送局から送信されるＴＶ番組の情報を含むＥＰＧ（電子番組表）を取得して、そのＥＰＧの映像をＴＶ受像機２に出力することができる。ＴＶ受像機２は、ＨＤＭＩケーブル４を介してＨＤＲ１から供給されたＴＶ番組の映像やＥＰＧの映像をディスプレイ２４に表示できる。
【００２４】
ＨＤＲ１は、図２に示すように、アンテナ１１に接続され、デジタル放送信号を受信するチューナ部１２と、デコーダ部１３と、リモコン（番組選択手段）５から送信されるリモコン信号を受信するリモコン信号受信部１４と、ＨＤＭＩ規格に対応した外部機器を接続するためのＨＤＭＩ端子部１５とを備える。また、ＨＤＲ１は、各種情報を記憶したメモリ（予約録画番組記憶手段、予約録画種類記憶手段、アイコン記憶手段）１６と、チューナ部１２によって受信されたＴＶ番組等のコンテンツを録画するハードディスク（以下、ＨＤＤという）１７と、ＨＤＤ１７に対するＴＶ番組の書き込みや読み出しを行うアクセス部１８と、装置各部を制御するための制御用マイコン（制御手段）１０とをさらに備える。
【００２５】
リモコン５は、複数のボタン（図示せず）を有し、ユーザによってボタンが操作されると各種動作指示をＨＤＲ１に対して行う。具体的には例えば、受信中のＴＶ番組の録画指示や、放送予定のＴＶ番組の予約録画指示や、ＥＰＧの中からＴＶ番組を選択して情報画面を表示させる指示等を行うことができる。
【００２６】
チューナ部１２は、アンテナ１１を介して、放送局から配信される各チャンネルのデジタル放送信号を受信する。デジタル放送信号には、ＴＶ番組の映像信号及び音声信号と、配信されるＴＶ番組の放送開始時間や放送終了時間、ジャンル、タイトル名、及び出演者等の番組情報とが含まれている。
【００２７】
デコーダ部１３は、チューナ部１２によって受信されたデジタル放送信号に対して復調処理や誤り訂正処理等を行い、多重化された信号から必要なＴＳ（トランスポートストリーム）パケットを分離するＴＳ変換回路（図示せず）、分離した各ＴＳパケットに対して復号化処理を行う映像デコード回路（図示せず）、音声デコード回路（図示せず）、及びデータデコード回路（図示せず）等から構成される。
【００２８】
映像デコード回路は、映像信号を含むＴＳパケットに対して復号化処理を行い、映像信号を抽出し、抽出した映像信号を制御用マイコン１０に出力する。音声デコード回路は、音声信号を含むＴＳパケットに対して復号化処理を行い、音声信号を抽出し、抽出した音声信号を制御用マイコン１０に出力する。
【００２９】
データデコード回路は、ＳＩ（Ｓｅｒｖｉｃｅ  Ｉｎｆｏｒｍａｔｉｏｎ）データを含むＴＳパケットに対して復号化処理を行い、ＳＩデータを抽出し、抽出したＳＩデータを制御用マイコン１０に出力する。ＳＩデータは、ＴＶ番組の番組情報が格納されたＥＩＴ（Ｅｖｅｎｔ  Ｉｎｆｏｒｍａｔｉｏｎ  Ｔａｂｌｅ）等を有している。
【００３０】
リモコン信号受信部１４は、リモコン５から受信した赤外線信号を電気信号に変換して制御用マイコン１０に転送する。ＨＤＭＩ端子部１５には、ＴＶ受像機２と接続されたＨＤＭＩケーブル４の一端が接続されている。
【００３１】
メモリ１６は、制御用マイコン１０を動作させるためのプログラム１６ａと、ＥＩＴの内容に基づく情報が格納された番組情報１６ｂと、予約録画を行うＴＶ番組の各種情報が格納された予約録画番組情報１６ｃと、予約録画の種類を示すアイコンが格納されたアイコン情報１６ｄとを格納している。
【００３２】
予約録画番組情報１６ｃは、予約録画を行うＴＶ番組と、予約録画を行うＴＶ番組の予約録画の種類とを含む。予約録画の種類には、所定のＴＶ番組の予約録画を毎週行う「毎週予約録画」と、所定のＴＶ番組の予約録画を毎日行う「毎日予約録画」と、所定のシリーズに含まれる全てのＴＶ番組を予約録画する「シリーズ予約録画」と、分割して配信される一組のＴＶ番組の全てを予約録画する「スプリット予約録画」等がある。スプリット予約録画は、具体的には例えば、ＴＶ番組が前半分部分と後半部分とに分けられて放送される場合に、前半分と後半部分のそれぞれを録画して一組のＴＶ番組とするものである。予約録画番組情報１６ｃには、例えば、「○月○日の午後８時から午後８時５４分までＡチャンネルのドラマＡＡＡを、毎週予約録画する」等の情報が含まれる。
【００３３】
アイコン情報１６ｄには、ＴＶ番組の予約録画の種類を示すアイコンが含まれる。具体的には例えば、毎日予約録画を示す時計型アイコンや、毎週予約録画を示す星型アイコンや、シリーズ予約録画を示すハート型アイコン等が含まれる。
【００３４】
制御用マイコン１０は、再生制御部１０ａと、録画制御部１０ｂと、番組情報取得部（電子番組表取得手段）１０ｃと、ＨＤＭＩ通信制御部１０ｄと、ＥＰＧ表示制御部（表示形式変更手段）１０ｅと、アイコン取得部（アイコン取得手段）１０ｆとを有し、ユーザによるリモコン５の操作に基づいてＨＤＲ１の制御処理を行う。
【００３５】
再生制御部１０ａは、アクセス部１８によってＨＤＤ１７から読み出されたＴＶ番組の再生を行い、再生されたＴＶ番組の映像信号及び音声信号を、ＨＤＭＩケーブル４を介してＴＶ受像機２に出力する処理を行う。録画制御部１０ｂは、ユーザによる録画指示や予約録画番組情報１６ｃの内容に基づき、チューナ部１２によって受信されたＴＶ番組を、アクセス部１８を用いてＨＤＤ１７に録画する処理を行う。
【００３６】
番組情報取得部１０ｃは、デコーダ部１３から受信したＥＩＴに基づき、ＴＶ番組のタイトル名や放送開始時間等の番組情報を取得して、メモリ１６の番組情報１６ｂとして格納する処理を行う。
【００３７】
ＨＤＭＩ通信制御部１０ｄは、ＴＶ受像機２に対して、ＨＤＭＩ−ＣＥＣ規格に基づくＣＥＣコマンド及びレスポンスデータの送受信や、再生制御部１０ａによって再生されたコンテンツの映像信号及び音声信号の送信を行う。また、ＨＤＭＩ通信制御部１０ｄは、ＥＰＧ表示制御部１０ｅによって生成されたＥＰＧの映像信号の送信を行う。
【００３８】
ＥＰＧ表示制御部１０ｅは、メモリ１６の番組情報１６ｂから番組情報を取得し、取得した番組情報に基づくＥＰＧを表示するための映像信号を、ＨＤＭＩケーブル４を介してＴＶ受像機２に出力する処理を行う。
【００３９】
また、ＥＰＧ表示制御部１０ｅは、ＥＰＧを表示する際に、メモリ１６の予約録画番組情報１６ｃに含まれる、予約録画を行うＴＶ番組、及び予約録画を行うＴＶ番組の予約録画の種類（の情報）に基づいて、ＥＰＧ内のＴＶ番組の表示形式を変更する処理（表示形式変更処理）も行う。
【００４０】
アイコン取得部１０ｆは、メモリ１６のアイコン情報１６ｄから、予約録画の種類を示すアイコンを取得する。
【００４１】
ＴＶ受像機２は、図３に示すように、アンテナ２１に接続され、デジタル放送信号を受信するチューナ部２２と、デコーダ部２３と、映像を表示するディスプレイ２４と、音声を出力するスピーカ２５と、ユーザによって操作される複数のボタンを有する操作部２６とを備える。また、ＴＶ受像機２は、ＨＤＭＩに対応した外部機器を接続するためのＨＤＭＩ端子部２７と、各種情報を記憶したメモリ２８と、装置各部を制御するための制御用マイコン２９とをさらに備える。
【００４２】
チューナ部２２は、アンテナ２１を介して、放送局から配信される各チャンネルのデジタル放送信号を受信する。デジタル放送信号には、ＴＶ番組の映像信号及び音声信号と、配信されるＴＶ番組の番組タイトル等の番組情報とが含まれている。
【００４３】
デコーダ部２３は、チューナ部２２によって受信されたデジタル放送信号に対して復調処理や誤り訂正処理等を行い、多重化された信号から必要なＴＳパケットを分離するＴＳ変換回路（図示せず）、分離した各ＴＳパケットに対して復号化処理を行う映像デコード回路（図示せず）、音声デコード回路（図示せず）、及びデータデコード回路（図示せず）等から構成される。
【００４４】
映像デコード回路は、映像信号を含むＴＳパケットに対して復号化処理を行い、映像信号を抽出し、抽出した映像信号を制御用マイコン２９に出力する。音声デコード回路は、音声信号を含むＴＳパケットに対して復号化処理を行い、音声信号を抽出し、抽出した音声信号を制御用マイコン２９に出力する。データデコード回路は、ＳＩデータを含むＴＳパケットに対して復号化処理を行い、ＳＩデータを抽出し、抽出したＳＩデータを制御用マイコン２９に出力する。
【００４５】
ディスプレイ２４は、チューナ部２２によって受信されたＴＶ番組の映像や、ＨＤＲ１から供給されたＴＶ番組の映像やＥＰＧの映像を表示する。スピーカ２５は、チューナ部２２によって受信されたＴＶ番組の音声や、ＨＤＲ１から供給された音声を出力する。ＨＤＭＩ端子部２７には、ＨＤＲ１と接続されたＨＤＭＩケーブル４の他端が接続されている。メモリ２８は、制御用マイコン２９を動作させるためのプログラム２８ａを格納している。
【００４６】
制御用マイコン２９は、映像出力部２９ａと、音声出力部２９ｂと、ＨＤＭＩ通信制御部２９ｃとを有し、ユーザによる操作部２６の操作に基づいてＴＶ受像機２の制御処理を行う。
【００４７】
映像出力部２９ａは、デコーダ部２３から受信したＴＶ番組の映像信号や、ＨＤＲ１から供給された映像信号をディスプレイ２４に出力する。音声出力部２９ｂは、デコーダ部２３から受信したＴＶ番組の音声信号や、ＨＤＲ１から供給された音声信号をスピーカ２５に出力する。ＨＤＭＩ通信制御部２９ｃは、ＨＤＲ１に対して、ＨＤＭＩ−ＣＥＣに基づくＣＥＣコマンド及びレスポンスデータの送受信や、ＨＤＲ１から送信された映像信号及び音声信号の受信を行う処理をする。
【００４８】
次に、ＨＤＲ１におけるＥＰＧの表示処理の手順について、図４に示すフローチャートを参照して説明する。
【００４９】
まず、ユーザによるリモコン５の操作により、ＥＰＧの表示が指示されると（Ｓ１）、ＨＤＲ１の制御用マイコン１０は、ＥＰＧ表示制御部１０ｅを用いて、メモリ１６の番組情報１６ｂを読み込み（Ｓ２）、ＥＰＧを生成する（Ｓ３）。
【００５０】
そして、制御用マイコン１０は、ＥＰＧ表示制御部１０ｅを用いて、表示形式変更処理を行い（Ｓ４）、上記Ｓ３で生成したＥＰＧのＴＶ番組の表示形式を変更した後、表示形式変更処理によって変更されたＴＶ番組の表示形式に基づくＥＰＧをＴＶ受像機２のディスプレイ２４に表示させる（Ｓ５）。
【００５１】
次に、上記表示形式変更処理の手順について、図５に示すフローチャートを参照して説明する。ここでは、予めＥＰＧが生成されているものとする。
【００５２】
まず、制御用マイコン１０は、ＥＰＧ表示制御部１０ｅを用いて、メモリ１６の予約録画番組情報１６ｃを読み込み（Ｓ１１）、予約録画を行うＴＶ番組、及び予約録画を行うＴＶ番組の予約録画の種類に基づいて、ＥＰＧ内のＴＶ番組の表示形式を変更する（Ｓ１２）。具体的には例えば、予約録画を行うＴＶ番組の予約録画の種類が「毎日予約録画」である場合、このＴＶ番組のタイトル名を赤色で表示するよう表示形式を変更する。また、予約録画を行うＴＶ番組の予約録画の種類が「毎週予約録画」である場合、このＴＶ番組のタイトル名を青色で表示するよう表示形式を変更する。
【００５３】
次に、ＨＤＲ１におけるＴＶ番組の情報画面表示処理の手順について、図６に示すフローチャートを参照して説明する。ここでは、予めＥＰＧが表示されているものとする。
【００５４】
まず、ユーザがリモコン５を用いて、表示しているＥＰＧの中からＴＶ番組を選択すると（Ｓ２１）、制御用マイコン１０は、選択されたＴＶ番組が録画中である場合（Ｓ２２でＹＥＳ）、アイコン取得部１０ｆを用いて、アイコン情報１６ｄから録画中を示すアイコンを取得する（Ｓ２３）。そして、制御用マイコン１０は、ユーザによって選択されたＴＶ番組の情報を、Ｓ２３で取得したアイコンと共に、ＴＶ受像機２のディスプレイ２４に表示する（Ｓ３３）。
【００５５】
一方、選択されたＴＶ番組が録画中でない場合（Ｓ２２でＮＯ）、制御用マイコン１０は、選択されたＴＶ番組の予約録画の種類を判断する（Ｓ２４）。この判断の結果、予約録画の種類が毎週予約録画である場合（Ｓ２５でＹＥＳ）、制御用マイコン１０は、アイコン取得部１０ｆを用いて、毎週予約録画を示すアイコンを取得する（Ｓ２６）。一方、毎日予約録画である場合（Ｓ２５でＮＯ、Ｓ２７でＹＥＳ）、制御用マイコン１０は、アイコン取得部１０ｆを用いて、毎日予約録画を示すアイコンを取得する（Ｓ２８）。
【００５６】
また、上記Ｓ２４の判断の結果、シリーズ予約録画である場合（Ｓ２５でＮＯ、Ｓ２７でＮＯ、Ｓ２９でＹＥＳ）、制御用マイコン１０は、アイコン取得部１０ｆを用いて、シリーズ予約録画を示すアイコンを取得する（Ｓ３０）。また、スプリット予約録画である場合（Ｓ２５でＮＯ、Ｓ２７でＮＯ、Ｓ２９でＮＯ、Ｓ３１でＹＥＳ）、制御用マイコン１０は、アイコン取得部１０ｆを用いて、スプリット予約録画を示すアイコンを取得する（Ｓ３２）。
【００５７】
そして、制御用マイコンは、ユーザによって選択されたＴＶ番組の情報を、上記Ｓ２６、Ｓ２８、Ｓ３０、Ｓ３２のそれぞれの処理で取得したアイコンと共に、ＴＶ受像機２のディスプレイ２４に表示する（Ｓ３３）。
【００５８】
一方、上記Ｓ２４の判断の結果、いずれの予約録画の種類でもない場合（予約録画を行うＴＶ番組ではない場合）、制御用マイコン１０は、ユーザによって選択されたＴＶ番組の情報だけをＴＶ受像機２のディスプレイ２４に表示する（Ｓ３４）。
【００５９】
次に、ＨＤＲ１によるＥＰＧの表示について、図７乃至図１０を参照して説明する。図７は、上記図５の処理によって表示されるＥＰＧの一例を示す。図８乃至図１０のそれぞれは、ユーザによって選択されたＥＰＧ内のＴＶ番組の情報を示す画面（以下、情報画面という）の一例を示す。ここでは、スポーツニュースＡ１、ライブ情報番組Ａ２、及びサッカー中継Ａ３のそれぞれが予約録画を行うＴＶ番組であるものとする。また、予約録画を行わないＴＶ番組のタイトル名を黒色で表示するものとする。
【００６０】
図７に示すＥＰＧのスポーツニュースＡ１は、予約録画を行うＴＶ番組であると共に、予約録画の種類として「毎日予約録画」を示すものとして、タイトル名が赤色で表示される。スポーツニュースＡ１の情報画面には、図８に示すように、予約録画の種類として「毎日予約録画」を示す時計型アイコンＢ１が表示される。
【００６１】
図７に示すＥＰＧのライブ情報番組Ａ２は、予約録画を行うＴＶ番組であると共に、予約録画の種類として「毎週予約録画」を示すものとして、タイトル名が青色で表示される。ライブ情報番組Ａ２の情報画面には、図９に示すように、予約録画の種類として「毎週予約録画」を示す星型アイコンＢ２が表示される。
【００６２】
図７に示すＥＰＧのドキュメント番組Ａ３は、予約録画を行うＴＶ番組であると共に、予約録画の種類として「シリーズ予約録画」を示すものとして、タイトル名が黄色で表示される。ドキュメント番組Ａ３の情報画面には、図１０に示すように、予約録画の種類として「シリーズ予約録画」を示すハート型アイコンＢ３が表示される。
【００６３】
上述したように、本実施形態に係るＨＤＲ１においては、ＥＰＧを表示する際に、予約録画の種類に応じた表示形式に基づき、ＥＰＧ内の予約録画を行うＴＶ番組を表示する。そのため、ユーザはＥＰＧを見るだけで予約録画を行うＴＶ番組、及びそのＴＶ番組の予約録画の種類を容易に確認することができるので、視認性が良くなる。
【００６４】
また、ＥＰＧを表示しているときに、ユーザによってＥＰＧの中からＴＶ番組が選択されると、選択されたＴＶ番組の予約録画の種類を示すアイコンを表示する。そのため、ユーザは、アイコンを見るだけで予約録画の種類を容易に確認することができるので、視認性がさらに良くなる。
【００６５】
なお、本発明は、上記実施形態の構成に限られず、発明の趣旨を変更しない範囲で種々の変形が可能である。例えば、上記実施形態において、請求項に示す録画装置がＨＤＲである例を示したが、これに限られず、ＴＶ番組を予約録画できると共に、ＥＰＧを表示可能なＡＶ機器であればよい。また、請求項に示す表示手段がＴＶ受像機である例を示したが、ＥＰＧの映像を表示可能なＡＶ機器であればよい。
【００６６】
また、上記実施形態の表示形式変更処理において、予約録画を行うＴＶ番組のタイトル名等のフォントを、予約録画の種類に応じて変更してもよい。また、予約録画を行うＴＶ番組の表示色は、予約録画を行わないＴＶ番組と区別でき、かつ、予約録画の種類毎に異なっていればよい。
【符号の説明】
【００６７】
１  ＨＤＲ（録画装置）
２  ＴＶ受像機（表示手段）
５  リモコン（番組選択手段と）
１０  制御用マイコン（制御手段）
１６  メモリ（予約録画番組記憶手段、予約録画種類記憶手段、アイコン記憶手段）
１０ｃ  番組情報取得部（電子番組表取得手段）
１０ｅ  ＥＰＧ表示制御部（表示形式変更手段）
１０ｆ  アイコン取得部（アイコン取得手段）
【図１】
2012151799.tif 000003
【図２】
2012151799.tif 000004
【図３】
2012151799.tif 000005
【図４】
2012151799.tif 000006
【図５】
2012151799.tif 000007
【図６】
2012151799.tif 000008
【図７】
2012151799.tif 000009
【図８】
2012151799.tif 000010
【図９】
2012151799.tif 000011
【図１０】
2012151799.tif 000012
【図１１】
2012151799.tif 000013
【図１２】
2012151799.tif 000014